(57)【要約】【課題】吹出口から整流器を着脱する際の作業性（メンテナンス性）を向上させることが可能なエアカーテン装置を提供する。【解決手段】このエアカーテン装置１００は、送風機１と、送風機１によって送風された空気を整流して、整流した気流を吐出する整流器２と、整流器２から吐出される気流側に突出するように設けられ、気流と交差することによって、気流を遮蔽する遮風部３１を含む遮風板３とを備え、整流器２を着脱する際に、遮風部３１が、整流器２と離間するように移動するように構成されている。【選択図】図３
2017116228.tif 000002
【特許請求の範囲】
【請求項１】
送風機と、
前記送風機によって送風された空気を整流して、整流した気流を吐出する整流器と、
前記整流器から吐出される気流側に突出するように設けられ、気流と交差することによって、気流を遮蔽する遮風部を含む遮風板とを備え、
前記整流器を着脱する際に、前記遮風部が、前記整流器と離間するように移動するように構成されている、エアカーテン装置。
【請求項２】
前記遮風板は、前記整流器を着脱する方向と略垂直で、かつ、前記遮風部が突出する方向と略垂直な方向に延びる回動軸を有するヒンジ部を含む、請求項１に記載のエアカーテン装置。
【請求項３】
前記整流器が内部に着脱可能に装着され、前記送風機から吹き出された空気を吐出する長方形状のノズルをさらに備え、
前記遮風板は、前記整流器から吐出された気流に沿うように設けられた遮風部取付部をさらに含み、
前記ヒンジ部は、回動軸線が前記ノズルの長手方向に延びるとともに、前記遮風部取付部を前記ノズルに対して前記整流器と離間する方向に回動可能に取り付ける第１のヒンジと、回動軸線が前記ノズルの長手方向に延びるとともに、前記遮風部を前記遮風部取付部に対して前記ノズル側に回動可能に取り付ける第２のヒンジとを含む、請求項２に記載のエアカーテン装置。
【請求項４】
前記遮風部は、気流が吐出される方向に略垂直な方向に沿って、鋸刃形状を有するように構成されている、請求項１〜３のいずれか１項に記載のエアカーテン装置。
【請求項５】
前記整流器が内部に着脱可能に装着され、前記送風機から吹き出された空気を吐出するノズルをさらに備え、
前記整流器に取り付けられ、前記ヒンジ部の前記回動軸の延びる方向から見て、前記整流器の空気の流入側に設けられ、前記整流器の装着時に、前記遮風部を前記ノズル側に回動させるとともに、前記遮風板を前記整流器と離間する方向に回動させる第１傾斜部と、前記整流器の空気の吐出側に設けられ、前記整流器の取り外し時に、前記遮風板を前記整流器と離間する方向に回動させる第２傾斜部とを有する回動誘導部材をさらに備える、請求項２〜４のいずれか１項に記載のエアカーテン装置。
【請求項６】
前記整流器と前記遮風部との間に前記整流器の空気の吐出側に位置する前記回動誘導部材の前記第２傾斜部をスペーサとして配置することにより、前記整流器と前記遮風部との間に所定の大きさの間隙を有するように構成されている、請求項５に記載のエアカーテン装置。
【請求項７】
前記整流器が内部に着脱可能に装着され、前記送風機から吹き出された空気を吐出するノズルをさらに備え、
前記遮風板は、前記ノズルの外表面に、着脱可能に固定されている、請求項１〜６のいずれか１項に記載のエアカーテン装置。
【発明の詳細な説明】
【技術分野】
【０００１】
この発明は、エアカーテン装置に関し、特に、吹出口に遮風板を備えるエアカーテン装置に関する。
【背景技術】
【０００２】
従来、吹出口に遮風板を備えるエアカーテン装置が知られている（たとえば、特許文献１参照）。
【０００３】
上記特許文献１に記載の空調装置（エアカーテン装置）には、空気を吹き出す吹出口が設けられている。吹出口の内側には、２枚の仕切板（整流器）が設けられており、２枚の仕切板によって、中央の主流路、および、両側の２つの副流路に仕切られている。また、吹出口の開口面には、風向板（遮風板）が設けられており、吹出口から吹き出される空気と交差するように配置されている。
【先行技術文献】
【特許文献】
【０００４】
【特許文献１】特開２００７−２５５８７９号公報
【発明の概要】
【発明が解決しようとする課題】
【０００５】
しかしながら、上記特許文献１に記載された空調装置（エアカーテン装置）では、風向板が吹出口から吹き出される空気と交差するように配置されているため、仕切板のメンテナンスなどのために、仕切板（整流器）を着脱する際に、仕切板と風向板とが干渉することによって、作業性が悪いという問題点がある。
【０００６】
この発明は、上記のような課題を解決するためになされたものであり、この発明の１つの目的は、吹出口から整流器を着脱する際の作業性（メンテナンス性）を向上させることが可能なエアカーテン装置を提供することである。
【課題を解決するための手段】
【０００７】
上記目的を達成するために、この発明の一の局面によるエアカーテン装置は、送風機と、送風機によって送風された空気を整流して、整流した気流を吐出する整流器と、整流器から吐出される気流側に突出するように設けられ、気流と交差することによって、気流を遮蔽する遮風部を含む遮風板とを備え、整流器を着脱する際に、遮風部が、整流器と離間するように移動するように構成されている。
【０００８】
この発明の一の局面によるエアカーテン装置では、上記のように、整流器を着脱する際に、遮風部が、整流器と離間する方向に移動するように構成することによって、整流器を着脱する際の整流器と遮風部との干渉が抑制されるので、整流器の着脱の作業性（メンテナンス性）を向上させることができる。
【０００９】
上記一の局面によるエアカーテン装置では、好ましくは、遮風板は、整流器を着脱する方向と略垂直で、かつ、遮風部が突出する方向と略垂直な方向に延びる回動軸を有するヒンジ部を含む。このように構成すれば、ヒンジ部が回動することにより、遮風部の突出している部分が、整流器と離間する方向に移動することによって、整流器を着脱する際の整流器と遮風部の突出している部分との干渉が抑制されるので、整流器の着脱の作業性（メンテナンス性）をさらに向上させることができる。
【００１０】
上記ヒンジ部を含む遮風板を備えるエアカーテン装置は、好ましくは、整流器が内部に着脱可能に装着され、送風機から吹き出された空気を吐出する長方形状のノズルをさらに備え、遮風板は、整流器から吐出された気流に沿うように設けられた遮風部取付部をさらに含み、ヒンジ部は、回動軸線がノズルの長手方向に延びるとともに、遮風部取付部をノズルに対して整流器と離間する方向に回動可能に取り付ける第１のヒンジと、回動軸線がノズルの長手方向に延びるとともに、遮風部を遮風部取付部に対してノズル側に回動可能に取り付ける第２のヒンジとを含む。このように構成すれば、整流器の着脱の際に、第１のヒンジが回動することにより、遮風部取付部、および、遮風部取付部に取り付けられた遮風部のそれぞれが、整流器と離間する方向に移動するので、整流器を着脱する際の整流器と遮風部との干渉が抑制される。さらに、整流器の取り付けの際に、第１のヒンジに加えて、第２のヒンジが回動することにより、遮風部がノズル側に回動するので、整流器と遮風部との干渉が抑制される。その結果、整流器の取り付けの作業性（メンテナンス性）をさらに向上させることができる。
【００１１】
上記一の局面によるエアカーテン装置は、好ましくは、遮風部は、気流が吐出される方向に略垂直な方向に沿って、鋸刃形状を有するように構成されている。ここで、吹出口からの噴流と周囲流体との境界に発生する気流の渦が、吹出口から離れるにつれて大きくなることによって、熱の移動に影響を及ぼしている。そこで、吹出口に、鋸刃形状の遮風部を設けることによって、吹出口からの噴流によって発生する気流の渦が大きくなるのを抑制することができるので、熱の移動への影響を低減することができる。これにより、整流器から吐出される気流が、鋸刃形状の遮風部と交差して吹き出されることによって、吹出口からの噴流による熱遮断効果の低下を抑制することができる。
【００１２】
上記ヒンジ部を含む遮風板を備えるエアカーテン装置は、好ましくは、整流器が内部に着脱可能に装着され、送風機から吹き出された空気を吐出するノズルをさらに備え、整流器に取り付けられ、ヒンジ部の回動軸の延びる方向から見て、整流器の空気の流入側に設けられ、整流器の装着時に、遮風部をノズル側に回動させるとともに、遮風板を整流器と離間する方向に回動させる第１傾斜部と、整流器の空気の吐出側に設けられ、整流器の取り外し時に、遮風板を整流器と離間する方向に回動させる第２傾斜部とを有する回動誘導部材をさらに備える。このように構成すれば、整流器を取り付ける際に、遮風板が、第１傾斜部に沿って移動することにより、遮風板がスムーズに回動するので、整流器の取り付け作業が容易化する。また、整流器を取り外す際に、遮風板が、第２傾斜部に沿って移動することにより、遮風板がスムーズに回動するので、整流器の取り外し作業が容易化する。これらにより、整流器の着脱の作業性（メンテナンス性）をさらに向上させることができる。
【００１３】
上記回動誘導部材を備えるエアカーテン装置は、好ましくは、整流器と遮風部との間に整流器の空気の吐出側に位置する回動誘導部材の第２傾斜部をスペーサとして配置することにより、整流器と遮風部との間に所定の大きさの間隙を有するように構成されている。ここで、整流器と遮風部との間の間隙が所定の大きさ未満である場合は、整流器を着脱する方向から見て、整流器と遮風部とが重なる部分から吐出される空気が、遮風部によって遮られることによって、吹出口から吹き出され難くくなる。このため、吹出口からの気流の風量が減少する。したがって、第２傾斜部をスペーサとして配置することにより、整流器と遮風部との間に所定の大きさの間隙を有するように構成することによって、整流器と遮風部との間の間隙が所定の大きさ未満である場合に比べて、吹出口から吹き出される気流の量の減少を抑制することができる。
【００１４】
上記一の局面によるエアカーテン装置は、好ましくは、整流器が内部に着脱可能に装着され、送風機から吹き出された空気を吐出するノズルをさらに備え、遮風板は、ノズルの外表面に、着脱可能に固定されている。このように構成すれば、遮風板のメンテナンスが必要である場合に、遮風板をノズルから取り外し、容易に、遮風板の修理、および、遮風板の交換をすることができるので、遮風板の劣化による、エアカーテン装置の性能の低下を抑制することができる。また、遮風板を備えていないエアカーテン装置に対して、着脱可能な遮風板を装着させることによって、付加的に鋸刃形状の遮風部による熱遮断効果を与えることができる。
【発明の効果】
【００１５】
本発明によれば、上記のように、吹出口から整流器を着脱する際の作業性（メンテナンス性）を向上させることが可能なエアカーテン装置を提供することができる。
【図面の簡単な説明】
【００１６】
【図１】本発明の第１および第２実施形態によるエアカーテン装置を設置した冷蔵倉庫の構成を示した図である。
【図２】本発明の第１および第２実施形態によるエアカーテン装置の構成を示した斜視図である。
【図３】本発明の第１実施形態によるエアカーテン装置の構成を示した断面図である。
【図４】本発明の第１実施形態によるエアカーテン装置の吹出口の正面図である。
【図５】本発明の第１実施形態によるエアカーテン装置の構成を示した拡大断面図である。
【図６】本発明の第１実施形態によるエアカーテン装置の整流器の取り外し時の状態を示した拡大断面図である。
【図７】本発明の第１実施形態によるエアカーテン装置の整流器の取り付け時の状態を示した拡大断面図である。
【図８】本発明の第１実施形態によるエアカーテン装置のヒンジ部の拡大図である。
【図９】本発明の第２実施形態によるエアカーテン装置の整流器の取り外し時の状態を示した拡大断面図である。
【図１０】本発明の第２実施形態によるエアカーテン装置の整流器の取り付け時の状態を示した拡大断面図である。
【図１１】本発明の第２実施形態によるエアカーテン装置の整流器に回動誘導部材を取り付けた状態を説明するための図である。
【発明を実施するための形態】
【００１７】
以下、本発明を具体化した実施形態を図面に基づいて説明する。
【００１８】
（第１実施形態）
まず、図１〜図８を参照して、本発明の第１実施形態によるエアカーテン装置１００について説明する。
【００１９】
（冷蔵倉庫の全体構成）
第１実施形態によるエアカーテン装置１００は、図１に示すように、冷却装置１０１からの空気を吸い込むとともに、吹き出した空気を冷蔵倉庫１０２に設けられた冷蔵室１０３の内部空間１０３ａ内に循環させるように構成されている。冷却装置１０１およびエアカーテン装置１００は、それぞれ、冷蔵室１０３の天井１０４の下面１０４ａに取り付けられている。また、内部空間１０３ａは温度Ｔに維持されており、冷蔵室１０３に置かれている物品１０５は温度Ｔで冷却保管されている。
【００２０】
ここで、冷蔵室１０３内の空気（冷気）の流れを説明する。図１に示すように、内部空間１０３ａにおいては、冷却装置１０１により冷やされて冷却装置１０１の吹出口１０１ａから吹き出される空気が天井１０４の下面１０４ａを矢印Ｘ１方向（水平方向）に伝ってエアカーテン装置１００の吸込口１００ａに吸い込まれる。空気は向きを変えてエアカーテン装置１００の吹出口１００ｂから気流Ｐ１となって斜め下方向（矢印Ｚ２方向かつ矢印Ｘ２方向）に吹き出される。すなわち、吹出口１００ｂは、吹き出される空気が真下方向から所定角度だけＸ２側に向かう気流Ｐ１を形成するような開口形状を有している。その後、空気（気流Ｐ１）は、床面１０６に到達した後、向きを変えてそのほとんどが床面１０６を矢印Ｘ２方向に沿って流通され、Ｘ２側の側壁部１０７近傍を矢印Ｚ１方向に伝って冷却装置１０１の吸込口１０１ｂに吸い込まれる。このように、内部空間１０３ａには、時計回りに大きく循環する空気循環流Ｇ１が形成される。図１においては、側壁部１０７に対して略垂直な方向をＸ方向（Ｘ１方向およびＸ２方向）、下面１０４ａに対して略垂直な方向をＺ方向（Ｚ１方向およびＺ２方向）とする。
【００２１】
（エアカーテン装置の構成）
図１〜図８を参照して、本発明の第１実施形態によるエアカーテン装置１００の構成について説明する。
【００２２】
本発明の第１実施形態によるエアカーテン装置１００は、図１〜図３に示すように、送風機１を備える。また、図２および図３に示すように、エアカーテン装置１００は、整流器２を備える。エアカーテン装置１００は、送風機１を回転させることによって、冷却装置１０１（図１参照）からの空気を吸い込む。吸い込まれた空気は、エアカーテン装置１００の内部を通り、整流器２に流入する。
【００２３】
整流器２は、ハニカム構造（略正六角形状の多数の穴（図示せず））を有している。整流器２に流入した空気は、それぞれの略正六角形状の穴を通ることによって整流され、整流された空気が、整流器２から吐出される。整流器２によって整流され、吐出された空気は、エアカーテン装置１００の吹出口１００ｂから吹き出される。
【００２４】
図２〜図４に示すように、エアカーテン装置１００には、吹出口１００ｂの近傍に、吹出口１００ｂからの気流Ｐ１（図１参照）を調整する一対の遮風板３が設けられている。一対の遮風板３はそれぞれ、後述する、遮風部３１を含む。また、一対の遮風板３はそれぞれ、後述する、遮風部取付部３２を含む。また、一対の遮風板３はそれぞれ、後述する、ヒンジ部３３を含む。
【００２５】
図２および図４に示すように、エアカーテン装置１００の吹出口１００ｂは、長方形状を有している。また、後述するように、複数の三角形状によって構成される鋸刃形状の遮風部３１が、吹出口１００ｂの長手方向（Ａ方向）に延びる２つの辺１００ｃに沿って設けられている。遮風部３１は、整流器２から吐出される気流と交差することによって気流を遮るように、気流側に突出している。また、整流器２の、空気が流入される側の面２ａ、および、空気が吐出される側の面２ｂのそれぞれは、吹出口１００ｂと同様に、長方形状を有している。以下、吹出口１００ｂ（整流器２）の長手方向を、Ａ方向（Ａ１方向およびＡ２方向）とする。
【００２６】
図４および図５に示すように、整流器２は、後述するノズル４の内部に設けられている。整流器２は、ノズル４に嵌合するように配置されることによって、吹出口１００ｂに向かって脱落しないように固定されている。また、ノズル４は、整流器２の長手方向および、短手方向（Ｂ方向）に沿って、整流器２を取り囲むように設けられている。以下、吹出口１００ｂ（整流器２）の短手方向を、Ｂ方向（Ｂ１方向およびＢ２方向）とする。
【００２７】
ここで、第１実施形態では、エアカーテン装置１００は、図６および図７に示すように、整流器２を着脱する際に、遮風部３１が、整流器２と離間するように移動するように構成されている。具体的には、整流器２を着脱する際に、遮風部３１が整流器２により押されることによって、Ｂ１側の遮風部３１が、Ｂ１方向に移動するとともに、Ｂ２側の遮風部３１が、Ｂ２方向に移動する。
【００２８】
また、図５に示すように、遮風部３１は、後述するヒンジ３３ｂを介して、遮風部取付部３２に取り付けられている。遮風部取付部３２は、整流器２から吐出された気流に沿うように設けられている。具体的には、遮風部取付部３２は、整流器２の着脱の方向（Ｃ方向）に略平行に設けられている遮風部取付板３２ａを含む。遮風部取付部３２は、Ｂ方向に略平行に設けられている遮風部取付板３２ｂを含む。遮風部取付部３２は、遮風部取付板３２ａと遮風部取付板３２ｂとによって、Ｌ字状を有している。ヒンジ３３ｂは、遮風部取付板３２ａおよび遮風部取付板３２ｂに固定されている。また、遮風部３１は、遮風部取付板３２ｂによって、整流器２を取り外す方向（Ｃ１方向）への移動が抑制されている。また、遮風部３１は、ヒンジ３３ｂによって、所定の位置（たとえば、遮風部取付板３２ｂと略平行になる位置）に固定されるように構成されている。すなわち、遮風部３１は、遮風部取付板３２ｂに支持されることなく、所定の位置に固定されている。以下、整流器２の着脱の方向を、Ｃ方向（Ｃ１方向およびＣ２方向）とする。なお、ヒンジ３３ｂは、特許請求の範囲の「第２のヒンジ」の一例である。
【００２９】
また、第１実施形態では、遮風板３は、整流器２を着脱する方向と略垂直で、かつ、遮風部３１が突出する方向と略垂直な方向に延びる軸線αを有するヒンジ部３３を含む。すなわち、軸線αはＡ方向に延びるように設けられている。なお、軸線αは、特許請求の範囲の「回動軸」の一例である。
【００３０】
また、第１実施形態では、エアカーテン装置１００は、整流器２が内部に着脱可能に装着され、送風機１から吹き出された空気を吐出する長方形状のノズル４をさらに備える。また、エアカーテン装置１００は、回動軸線α１がノズル４の長手方向に延びるとともに、遮風部取付部３２をノズル４に対して整流器２と離間する方向に回動可能に取り付けるヒンジ３３ａを備える。さらに、エアカーテン装置１００は、回動軸線α２がノズル４の長手方向に延びるとともに、遮風部３１を遮風部取付部３２に対してノズル４側に回動可能に取り付けるヒンジ３３ｂを備える。なお、ヒンジ３３ａは、特許請求の範囲の「第１のヒンジ」の一例である。
【００３１】
具体的には、図６に示すように、整流器２を取り外す際に、整流器２と遮風部３１とが接触することによって、遮風部３１が取り付けられている遮風部取付部３２は、Ｂ方向に押される。すなわち、Ｂ１側の遮風部取付部３２は、Ｂ１方向に押され、Ｂ２側の遮風部取付部３２は、Ｂ２方向に押される。その結果、遮風部取付部３２には、ヒンジ３３ａの回動軸線α１を中心にモーメントが発生し、遮風部取付部３２は、整流器２と離間する方向に回動する。また、図７に示すように、整流器２を取り付ける際に、整流器２と遮風部３１とが接触することによって、遮風部取付部３２は、整流器２と離間する方向に回動される。さらに、整流器２と遮風部３１とが接触することによって、遮風部３１は、Ｃ２方向に押される。その結果、遮風部３１に、ヒンジ３３ｂの回動軸線α２を中心にモーメントが発生し、遮風部３１は、ノズル４側に回動する。
【００３２】
また、第１実施形態では、図４に示すように、遮風部３１は、気流が吐出される方向に略垂直な方向に沿って、鋸刃形状を有するように構成されている。具体的には、Ｂ１側の遮風部３１の鋸刃は、Ｂ２方向に突出しており、Ｂ２側の遮風部３１の鋸刃は、Ｂ１方向に突出している。また、遮風部３１の鋸刃形状の刃先は、高さ、および、底辺の長さのそれぞれが、約１０ｍｍである三角形状である。
【００３３】
また、遮風部３１の鋸刃形状の刃先には、柔軟で、かつ、形状復元可能な素材（たとえば、樹脂）が使用されている。これにより、整流器２を着脱する際に、整流器２と遮風部３１との接触による、整流器２および遮風部３１の、摩耗劣化を抑制することができる。
【００３４】
また、第１実施形態では、図８に示すように、遮風板３は、ノズル４の外表面に、着脱可能に固定されている。具体的には、ヒンジ３３ａは、蝶番３４に取り付けられている。蝶番３４には、複数のネジ穴３４ａが設けられており、ネジ穴３４ａにネジ３４ｂを挿入することによって、遮風部取付板３２ａは、ヒンジ３３ａおよび蝶番３４を介して、ノズル４に取り付けられている。また、図示しないが、遮風部３１は、ヒンジ３３ｂおよび蝶番３４を介して、遮風部取付板３２ａ、および、遮風部取付板３２ｂのそれぞれに、固定されている。
【００３５】
（第１実施形態の効果）
第１実施形態では、以下のような効果を得ることができる。
【００３６】
第１実施形態では、上記のように、送風機１と、送風機１によって送風された空気を整流して、整流した気流を吐出する整流器２と、整流器２から吐出される気流側に突出するように設けられ、気流と交差することによって、気流を遮蔽する遮風部３１を含む遮風板３とを備える。そして、整流器２を着脱する際に、遮風部３１が、整流器２と離間するように移動するように、エアカーテン装置１００を構成する。これにより、整流器２を着脱する際に、遮風部３１が、整流器２と離間する方向に移動するように構成することによって、整流器２を着脱する際の整流器２と遮風部３１との干渉が抑制される。その結果、整流器２の着脱の作業性（メンテナンス性）を向上させることができる。
【００３７】
また、第１実施形態では、上記のように、遮風板３は、整流器２を着脱する方向と略垂直で、かつ、遮風部３１が突出する方向と略垂直な方向に延びる、軸線αを有するヒンジ部３３とを含む。ヒンジ部３３を回動することにより、遮風部３１の突出している部分が、整流器２と離間する方向に移動することによって、整流器２を着脱する際の整流器２と遮風部３１の突出している部分との干渉が抑制されるので、整流器２の着脱の作業性（メンテナンス性）をさらに向上させることができる。
【００３８】
また、第１実施形態では、上記のように、整流器２が内部に着脱可能に装着され、送風機１から吹き出された空気を吐出する長方形状のノズル４をさらに備える。また、遮風板３は、整流器２から吐出された気流に沿うように設けられた遮風部取付部３２をさらに含む。ヒンジ部３３は、回動軸線α１がノズル４の長手方向に延びるとともに、遮風部取付部３２をノズル４に対して整流器２と離間する方向に回動可能に取り付けるヒンジ３３ａを含む。また、ヒンジ部３３は、回動軸線α２がノズル４の長手方向に延びるとともに、遮風部３１を遮風部取付部３２に対してノズル４側に回動可能に取り付けるヒンジ３３ｂを含む。これにより、整流器２の着脱の際に、ヒンジ３３ａが回動することにより、遮風部取付部３２、および、遮風部取付部３２に取り付けられた遮風部３１のそれぞれが、整流器２と離間する方向に移動するので、整流器２を着脱する際の整流器２と遮風部３１との干渉が抑制される。さらに、整流器２の取り付けの際に、ヒンジ３３ａに加えて、ヒンジ３３ｂが回動することにより、遮風部３１がノズル４側に回動するので、整流器２と遮風部３１との干渉が抑制される。その結果、整流器２の取り付けの作業性（メンテナンス性）をさらに向上させることができる。
【００３９】
また、第１実施形態では、上記のように、遮風部３１を、気流が吐出される方向に略垂直な方向に沿って、鋸刃形状を有するように構成する。これにより、整流器２から吐出される気流が、鋸刃形状の遮風部３１と交差して吹き出されることによって、吹出口１００ｂからの気流Ｐ１による熱遮断効果の低下を抑制することができる。
【００４０】
また、第１実施形態では、上記のように、遮風板３は、ノズル４の外表面に、着脱可能に固定されている。これにより、遮風板３のメンテナンスが必要である場合に、遮風板３をノズル４から取り外し、容易に、遮風板３の修理、および、遮風板３の交換をすることができるので、遮風板３の劣化による、エアカーテン装置１００の性能の低下を抑制することができる。また、遮風板３を備えていないエアカーテン装置に対して、着脱可能な遮風板３を装着させることによって、付加的に鋸刃形状の遮風部３１による熱遮断効果を与えることができる。
【００４１】
［第２実施形態］
図９〜図１１を参照して、本発明の第２実施形態によるエアカーテン装置２００の構成について説明する。第２実施形態は、上記第１実施形態の構成に加えて、整流器２に回動誘導部材５を取り付けた構成である。なお、上記第１実施形態と同様の構成は、第１実施形態と同じ符号を付して図示するとともに説明を省略する。
【００４２】
（エアカーテン装置の構成）
第２実施形態では、図９および図１０に示すように、エアカーテン装置２００は、整流器２に取り付けられる、回動誘導部材５をさらに備える。回動誘導部材５は、ヒンジ部３３の軸線αの延びる方向から見て、整流器２の空気の流入側に設けられ、整流器２の装着時に、遮風部３１をノズル４側に回動させるとともに、遮風板３を整流器２と離間する方向に回動させる傾斜部５１を有する。また、回動誘導部材５は、整流器２の空気の吐出側に設けられ、整流器２の取り外し時に、遮風板３を整流器２と離間する方向に回動させる傾斜部５２を有する。なお、傾斜部５１および傾斜部５２は、それぞれ、特許請求の範囲の「第１傾斜部」および「第２傾斜部」の一例である。
【００４３】
具体的には、図９および図１０に示すように、回動誘導部材５（たとえば、ステンレス）は、整流器２の側面に沿ってＣ方向に延びる部分と、整流器２の上面でＣ２方向に突出する山形状の部分と、整流器２の下面で互いに近づくように曲がる部分と、端部で互いに平行に延びる部分とによって構成されている。また、図９に示すように、回動誘導部材５が取り付けられた整流器２をエアカーテン装置２００から取り外す際に、傾斜部５２と遮風部３１とが接触する。整流器２をＣ１方向に移動させる際に、傾斜部５２によって、遮風板３は、斜め下方向（たとえば、Ｂ１側の遮風板３の場合、矢印Ｂ１方向かつ矢印Ｃ１方向）に押される。その結果、遮風板３は、ヒンジ３３ａの回動軸線α１を中心に、整流器２と離間する方向に回動する。また、図１０に示すように、回動誘導部材５が取り付けられた整流器２をエアカーテン装置２００に取り付ける際に、傾斜部５１によって、遮風板３は、斜め上方向（たとえば、Ｂ１側の遮風板３の場合、矢印Ｂ１方向かつ矢印Ｃ２方向）に押される。その結果、遮風板３は、ヒンジ３３ａの回動軸線α１を中心に、整流器２と離間する方向に回動する。
【００４４】
図１１に示すように、複数（たとえば、４つ）の回動誘導部材５によって、整流器２は取り囲まれるように構成されている。また、回動誘導部材５は細いワイヤ状を有しているので、平坦面状の部材を取り付ける場合に比べて、回動誘導部材５による、整流器２への空気の流入面の表面積の低減が抑制できる。すなわち、整流器２に流入する空気の量の低減を抑制することができるとともに、整流器２から吐出される空気の量の低減を抑制することができる。
【００４５】
また、第２実施形態では、図９に示すように、整流器２と遮風部３１との間に整流器２の空気の吐出側に位置する回動誘導部材５の傾斜部５２をスペーサとして配置することにより、整流器２と遮風部３１との間に厚さｔの間隙を有するように構成されている。具体的には、傾斜部５２が、遮風部３１に接触して固定されているので、回動誘導部材５、および、整流器２のそれぞれの、Ｃ１方向への移動が抑制されている。その結果、傾斜部５２がスペーサとなり、整流器２と遮風部３１との間に、厚さｔの間隙ができる。なお、厚さｔは、特許請求の範囲の「所定の大きさ」の一例である。
【００４６】
（第２実施形態の効果）
第２実施形態では、以下のような効果を得ることができる。
【００４７】
第２実施形態では、上記のように、整流器２に取り付けられる、回動誘導部材５をさらに備えるように、エアカーテン装置２００を構成する。回動誘導部材５は、軸線αが延びる方向から見て、整流器２の空気の流入側（Ｃ２側）に設けられる傾斜部５１を有する。傾斜部５１は、整流器２の装着時に、遮風部３１をノズル４側に回動させるとともに、遮風板３を整流器２と離間する方向に回動させる。また、回動誘導部材５は、軸線αが延びる方向から見て、整流器２の空気の吐出側（Ｃ１側）に設けられる傾斜部５２を有する。傾斜部５２は、整流器２の取り外し時に、遮風板３を整流器２と離間する方向に回動させる。これにより、整流器２を取り付ける際に、遮風板３が、傾斜部５１に沿って移動することにより、遮風板３がスムーズに回動するので、整流器２の取り付け作業が容易化する。また、整流器２を取り外す際に、遮風板３が、傾斜部５２に沿って移動することにより、遮風板３がスムーズに回動するので、整流器２の取り外し作業が容易化する。これらにより、整流器２の着脱の作業性（メンテナンス性）をさらに向上させることができる。
【００４８】
また、第２実施形態では、上記のように、整流器２と遮風部３１との間に整流器２の空気の吐出側に位置する回動誘導部材５の傾斜部５２をスペーサとして配置することにより、整流器２と遮風部３１との間に厚さｔの間隙を有するように、エアカーテン装置２００を構成する。ここで、整流器２と遮風部３１との間の間隙の厚さが、厚さｔ未満である場合は、Ｃ方向から見て整流器２と遮風部３１とが重なる部分から吐出される空気が、遮風部３１によって遮られることによって、吹出口１００ｂから吹き出され難くくなる。このため、吹出口１００ｂから吹き出される気流Ｐ１の風量が減少する。これにより、整流器２と遮風部３１との間に厚さｔの間隙を有するように構成することによって、整流器２と遮風部３１との間の間隙の厚さが、厚さｔ未満である場合に比べて、吹出口１００ｂから吹き出される気流Ｐ１の量の減少を抑制することができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記第１および第２実施形態では、エアカーテン装置を冷蔵倉庫内で使用する例を示したが、本発明はこれに限られない。たとえば、ショーケースの冷蔵用に使用してもよい。
【００５１】
また、上記第１および第２実施形態では、吹出口は長方形状を有している例を示したが、本発明はこれに限られない。たとえば、吹出口の形状が正方形であってもよい。
【００５２】
また、上記第１および第２実施形態では、遮風部が、高さ、および、底辺の長さのそれぞれが、１０ｍｍである例を示したが、本発明はこれに限られない。たとえば、高さ、および、底辺の長さのそれぞれが、３ｍｍ以上３０ｍｍ以下（１０ｍｍを除く）であってもよい。また、高さ、および、底辺の長さが、それぞれ、互いに異なる大きさであってもよい。
【００５３】
また、上記第２実施形態では、回動誘導部材を４つ用いる例を示したが、本発明はこれに限られない。４つ以外の数の回動誘導部材を用いてもよい。
【００５４】
また、上記第２実施形態では、回動誘導部材によって、整流器の、Ｂ方向およびＣ方向それぞれの辺に沿って、整流器を取り囲む例を示したが、本発明はこれに限られない。整流器の、Ａ方向およびＣ方向それぞれの辺に沿って、整流器を取り囲んでもよい。
【００５５】
また、上記第１および第２実施形態では、整流器が、ハニカム構造を有する例を示したが、本発明はこれに限られない。整流器が、ハニカム構造以外を有していてもよい。
【００５６】
また、上記第１および第２実施形態では、ヒンジ部が、ヒンジ３３ａ、および、ヒンジ３３ｂのそれぞれを含む構成の例を示したが、本発明はこれに限られない。ヒンジ部が、ヒンジ３３ａ、または、ヒンジ３３ｂのうちのいずれか一方を含む構成であってもよい。
【００５７】
また、上記第１および第２実施形態では、遮風部が、鋸刃形状を有する例を示したが、本発明はこれに限られない。遮風部が、鋸刃形状以外の形状を有していてもよい。
【００５８】
また、上記第１および第２実施形態では、ヒンジ部が、ネジによって遮風板に固定される例を示したが、本発明はこれに限られない。ヒンジ部が、ネジ以外によって遮風板に固定されてもよい。
【００５９】
また、上記第１および第２実施形態では、ヒンジ３３ｂが、遮風部取付板３２ａおよび遮風部取付板３２ｂに固定される構成の例を示したが、本発明はこれに限られない。ヒンジ３３ｂが、遮風部取付板３２ａまたは遮風部取付板３２ｂのいずれか一方に固定されている構成であってもよい。また、ヒンジ３３ｂが、遮風部取付板３２ａのみに固定されている場合は、遮風部取付板３２ｂはなくてもよい。
【符号の説明】
【００６０】
１  送風機
２  整流器
３  遮風板
４  ノズル
５  回動誘導部材
３１  遮風部
３２  遮風部取付部
３３  ヒンジ部
３３ａ  ヒンジ（第１のヒンジ）
３３ｂ  ヒンジ（第２のヒンジ）
５１  傾斜部（第１傾斜部）
５２  傾斜部（第２傾斜部）
１００、２００  エアカーテン装置
α  軸線（回動軸）
ｔ  厚さ（所定の大きさ）
【図１】
2017116228.tif 000003
【図２】
2017116228.tif 000004
【図３】
2017116228.tif 000005
【図４】
2017116228.tif 000006
【図５】
2017116228.tif 000007
【図６】
2017116228.tif 000008
【図７】
2017116228.tif 000009
【図８】
2017116228.tif 000010
【図９】
2017116228.tif 000011
【図１０】
2017116228.tif 000012
【図１１】
2017116228.tif 000013